(57)【特許請求の範囲】
【請求項１】
液体収容部及びこの液体収容部に連通するとともに下方に向けて突出した筒状の口顎部を備え、前記液体収容部内の液体を加圧することにより前記口顎部の下端より液体が注出されるように成した液体容器に設けられる液体定量注出機構であって、
前記口顎部内に同軸状に内装され、外周面が前記口顎部の内周面に全周にわたって接するとともに、上端に内向きフランジ、下端に開口が形成された筒状のガイド部材と、
前記ガイド部材の下端開口を覆い、前記下端開口よりも小径かつ前記下端開口に対向する注出口を有する蓋体と、
前記ガイド部材内に軸方向に摺動自在に収容され、前記液体よりも比重が小さく、上端位置にあるときに前記内向きフランジの内側に形成された開口を封閉するとともに前記蓋体との間に液体が所定量充填される室を区画形成し、下端位置にあるときに前記注出口を封閉するように形成された浮子と、
を備え、前記液体収容部内の液体を加圧すると、前記浮子が下端位置に移動するとともに前記室内の所定量の液体が前記注出口より注出され、前記液体収容部内の液体への加圧を解除すると前記浮子が上端位置に移動するとともに前記室内に所定量の液体が充填されるように成したことを特徴とする液体定量注出機構。
【発明の詳細な説明】
【０００１】
【発明の属する技術分野】
本発明は、液体収容部及びこの液体収容部に連通するとともに下方に向けて突出した筒状の口顎部を備え、液体収容部内の液体を加圧することにより口顎部の下端より液体が注出されるように成した液体容器に設けられる液体定量注出機構に関するものである。
【０００２】
【従来の技術】
液体洗剤等を収容するためのものとして、液体収容部及びこの液体収容部に連通するとともに下方に向けて突出した筒状の口顎部を備え、液体収容部内の液体を加圧することにより口顎部の下端より液体が注出されるように成した液体容器が知られている。
【０００３】
【発明が解決しようとする課題】
従来のこの種の液体容器は、注出される液体の量を手加減によって決めているため、液体を一定量ずつ注出しにくいという問題点があった。
【０００４】
本発明は上述した問題点に鑑みてなされたものであって、その目的は、上述した液体容器から液体を一定量ずつ注出することができるように成した液体定量注出機構を提供することにある。
【０００５】
【課題を解決するための手段】
上述した目的を達成するために、本発明は、
液体収容部及びこの液体収容部に連通するとともに下方に向けて突出した筒状の口顎部を備え、前記液体収容部内の液体を加圧することにより前記口顎部の下端より液体が注出されるように成した液体容器に設けられる液体定量注出機構であって、
前記口顎部内に同軸状に内装され、外周面が前記口顎部の内周面に全周にわたって接するとともに、上端に内向きフランジ、下端に開口が形成された筒状のガイド部材と、
前記ガイド部材の下端開口を覆い、前記下端開口よりも小径かつ前記下端開口に対向する注出口を有する蓋体と、
前記ガイド部材内に軸方向に摺動自在に収容され、前記液体よりも比重が小さく、上端位置にあるときに前記内向きフランジの内側に形成された開口を封閉するとともに前記蓋体との間に液体が所定量充填される室を区画形成し、下端位置にあるときに前記注出口を封閉するように形成された浮子と、
を備え、前記液体収容部内の液体を加圧すると、前記浮子が下端位置に移動するとともに前記室内の所定量の液体が前記注出口より注出され、前記液体収容部内の液体への加圧を解除すると前記浮子が上端位置に移動するとともに前記室内に所定量の液体が充填されるように成したことを特徴とするものである。
【０００６】
【発明の実施の形態】
以下、本発明の具体的な実施形態を図面を参照しながら説明する。
図１は本発明の一実施形態である液体定量注出機構５を備えた液体容器１の一部破断正面図、図２は浮子８の平面図、図３は液体定量注出機構５の作用の説明図である。
【０００７】
図１に示す液体容器１は、液体洗剤等の粘性を有する液体Ｌを収容するものであって、合成樹脂製の容器本体２を備えている。容器本体２は、有頂筒状の液体収容部３と、この液体収容部３に連通するとともに下方に向けて突出した筒状の口顎部４とから成り、液体収容部３は片手で把持し得る大きさに形成されていて、かつ弾性変形可能となっている。
【０００８】
口顎部４には液体定量注出機構５が設けられており、この液体定量注出機構５は、口顎部４内に同軸状に内装された筒状のガイド部材６と、ガイド部材６の下端開口を覆う蓋体７と、ガイド部材６内に軸方向に摺動自在に収容された浮子８とから成っている。
【０００９】
ガイド部材６は合成樹脂製で、外周面が口顎部４の内周面に全周かつ全長にわたって接するように形成されており、上端に形成された内向きフランジ９と、下端に形成された外向きフランジ１０とを有し、外向きフランジ１０の裏面が口顎部４の下端面に接するように装着されている。
【００１０】
蓋体７は合成樹脂製で、有底二重筒状の蓋体本体１１と、この蓋体本体１１の下端縁にヒンジ部１３を介して連結され、垂直面内で回動可能な有底筒状のキャップ１２とから成っている。
【００１１】
蓋体本体１１は、弾性変形可能な内筒１４を有し、その内周面には周方向に延びる嵌合溝１５が全周にわたって形成されており、この嵌合溝１５を口顎部４の外周面に全周にわたって形成された嵌合突起１６に嵌合させることにより蓋体本体１１が口顎部４に装着固定されるようになっている。
【００１２】
なお、蓋体本体１１が口顎部４に装着されたときには蓋体本体１１の底壁１７の内面がガイド部材６の外向きフランジ１０の表面に当接するようになっている。また、蓋体本体１１の底壁１７には、下方に向けて突出した筒状の注出口１８が形成されており、この注出口１８は、ガイド部材６の下端開口よりも小径かつガイド部材６の下端開口に対向するように設けられている。
【００１３】
キャップ１２の内面には、注出口１８に嵌合し、これを封閉する突起１９が形成されている。
【００１４】
浮子８は合成樹脂製で、円柱状に形成され、その径はガイド部材６の内径とほぼ等しく、上面はドーム状を呈している。浮子８の比重は液体Ｌの比重より小さくなっている。浮子８は、上端位置（図１の位置）にあるときにはガイド部材６の内向きフランジ９の内側に形成された開口２０（図３参照）を封閉するとともに蓋体本体１１の底壁１７との間に約３ｃｃの液体Ｌが充填される室２１を区画形成し、下端位置（図３の位置）にあるときには注出口１８を封閉するように形成されている。
【００１５】
図２に示すように、浮子８の外周部には、軸方向全長にわたって延びる切欠部２２が複数個形成されており、これによって液体収容部３の内部と口顎部４の内部が連通した状態となっている。この切欠部２２の径は、液体収容部３を押圧して浮子８が液圧により押し下げられる際には液体Ｌが通過することができず、浮子８が下端位置から浮上する際には液体Ｌが通過し得るように設定されている。
【００１６】
このように、浮子８の押し下げ時に液体Ｌが切欠部２２を通過せず、浮子８の浮上時に液体Ｌが切欠部２２を通過するのは、押し下げ時の浮子８の速度が浮上時よりも大きく、かつ液体Ｌが粘性を有していることによる。このような切欠部２２を設けることにより、注出が終了した状態（図３）から次の注出が可能な状態（図１）になるまでの時間を短くすることができる。なお、このような切欠部２２に替えて、同様の作用を有する孔を浮子８に設けるようにしてもよい。
【００１７】
次に、上記のように構成された液体容器１の使用方法を説明する。
図１に示す状態において液体収容部３を片手で把持し、キャップ１２を回動させて注出口１８を露出させ、液体収容部３を押圧すると、液体Ｌが加圧され、浮子８が液圧により押し下げられ、浮子８が下端位置に達するまでの間に、室２１内に充填された約３ｃｃの液体Ｌが注出口１８から注出される。浮子８が下端位置に達すると、図３に示すように、注出口１８が浮子８によって封閉される。
【００１８】
液体収容部３への押圧力を解除すると、液体収容部３が変形前の状態に弾性復帰するとともに浮子８が下端位置から浮上し始め、浮子８の外周部に形成された切欠部２２や浮子８とガイド部材６の間に形成された隙間等を介して浮子８の上方の液体Ｌが浮子８の下方に流入する。浮子８が上端位置に達すると、ガイド部材６の内向きフランジ９の内側に形成された開口２０が浮子８により封閉されるとともに室２１内に所定量の液体Ｌが充填された状態となり、次の注出が可能となる。
【００１９】
なお、本発明は上述した実施形態に限定されるものではなく、種々の態様で実施することができる。
【００２０】
例えば、上述した実施形態では、一つの液体収容部と、これに設けられた一つの口顎部とを備えた液体容器の口顎部に対して本発明の液体定量注出機構を設けた場合について説明したが、複数個の液体収容部と、各液体収容部にそれぞれ一つずつ設けられた複数個の口顎部とを備えた液体容器の各口顎部に対してそれぞれ本発明の液体定量注出機構を設けるようにしてもよい。
【００２１】
その他にも、本発明の要旨を逸脱しない範囲で種々の態様で実施可能である。
【００２２】
【発明の効果】
以上のように、本発明の液体定量注出機構によれば、液体容器内に収容された液体を一定量ずつ注出することができる。また、本発明の液体定量注出機構は、極めて簡単な構造であり、安価に製造することができる。
【図面の簡単な説明】
【図１】  本発明の一実施形態である液体定量注出機構５を備えた液体容器１の一部破断正面図。
【図２】  浮子８の平面図。
【図３】  液体定量注出機構５の作用の説明図。
【符号の説明】
１  液体容器
３  液体収容部
４  口顎部
５  液体定量注出機構
６  ガイド部材
７  蓋体
８  浮子
９  内向きフランジ
１８  注出口
【図１】
0004315514.tif 000002
【図２】
0004315514.tif 000003
【図３】
0004315514.tif 000004